(57)【特許請求の範囲】
【請求項１】
中方立に沿って固定される第１縦部材と、戸尻側縦枠に沿って固定される第２縦部材と、前記第１縦部材、前記第２縦部材間に架け渡して外面側より固定される複数の横パネル材とを備えた戸袋ユニットであって、
前記横パネル材は、前記第１縦部材に固定される第１分割パネル材と、前記第２縦部材に固定される第２分割パネル材と、前記第１分割パネル材、前記第２分割パネル材間に内面側より架け渡して取り付けされる連結パネル材とを備え、前記第１分割パネル材と前記第２分割パネル材とは、離反状態に取り付け可能とされていることを特徴とする戸袋ユニット。
【請求項２】
請求項１において、
前記第１分割パネル材、前記第２分割パネル材の少なくともいずれか一方には、横方向に延びた、前記連結パネル材を取り付ける固定具用長孔が形成されている、戸袋ユニット。
【請求項３】
請求項１または２において、
前記第１縦部材および前記第２縦部材はそれぞれ、上縦部材と下縦部材とに分割されている、戸袋ユニット。
【発明の詳細な説明】
【技術分野】
【０００１】
本発明は戸袋ユニットに関する。
【背景技術】
【０００２】
近年、寸法が予め調整された鋼材製のユニット部材を取り付けることで、現場で簡単に戸袋を形成できるようにした戸袋ユニットが提案されている（たとえば、特許文献１参照）。
【０００３】
このユニットを構成するユニット部材には、縦枠や中方立などに取り付ける縦部材、および、縦部材間に架け渡す複数の横パネル材が含まれている。それらの端部等には、ねじ取り付け用の取付部（挿通孔等）が設けられており、それらを枠部に合わせてねじ止めするだけで迅速に取り付けできるようになっている。
【先行技術文献】
【特許文献】
【０００４】
【特許文献１】特開２０１１−１２７３４３号公報
【発明の概要】
【発明が解決しようとする課題】
【０００５】
しかしながら、ユニット部材は上記のように寸法が調整され、取付部が設けられているため、現場で寸法が合わなかった場合には切断などによる寸法調整をすることは困難である。特に、見付け方向の両端部を縦枠（に取り付けた縦部材）に固定する構成の横パネル材においては、切断して長さを短くしようとすれば取付部が除去されてしまう。よって、切断後に現場でねじ取り付け用の孔を開けなければならない。また、縦枠間寸法の大きいものに合わせることは、もちろん容易ではない。
【０００６】
本発明は、このような事情を考慮して提案されたもので、その目的は、現場の戸枠に合わせて寸法調整が簡易にできる戸袋ユニットを提供することにある。
【課題を解決するための手段】
【０００７】
上記目的を達成するために、本発明の戸袋ユニットは、中方立に沿って固定される第１縦部材と、戸尻側縦枠に沿って固定される第２縦部材と、第１縦部材、第２縦部材間に架け渡して外面側より固定される複数の横パネル材とを備えた戸袋ユニットであって、横パネル材は、第１縦部材に固定される第１分割パネル材と、第２縦部材に固定される第２分割パネル材と、第１分割パネル材、第２分割パネル材間に内面側より架け渡して取り付けされる連結パネル材とを備え、第１分割パネル材と第２分割パネル材とは、離反状態に取り付け可能とされていることを特徴とする。
【発明の効果】
【０００８】
本発明の戸袋ユニットによれば、上述の構成となっているため、現場の戸枠に合わせて戸袋の寸法の調整を簡易に実施することができる。
【図面の簡単な説明】
【０００９】
【図１】（ａ）は本発明の一実施形態に係る戸袋ユニットの取付例を示す分解斜視図、（ｂ）は（ａ）の戸袋ユニットに含まれる横パネル材の拡大正面図である。
【図２】（ａ）は横パネル材の正面側の斜視図、（ｂ）は背面側の斜視図である。
【図３】（ａ）（ｂ）は、戸袋ユニットの取付２例を示す、図１（ａ）におけるＡ−Ａ線に対応した概略分解横断面図である。
【図４】（ａ）は本発明の他の実施形態に係る戸袋ユニットの取付例を示す分解斜視図、（ｂ）は縦部材の取り付け要部を示す拡大部分側面図である。
【図５】（ａ）は戸袋ユニットを用いた袖壁の施工例を示す斜視図、（ｂ）は同側面図である。
【発明を実施するための形態】
【００１０】
以下に、本発明の実施の形態について、添付図面にもとづいて説明する。
まず、以下の２種の実施形態に係る戸袋ユニットの概略基本構成について説明する。
【００１１】
本戸袋ユニットは、中方立２３に沿って固定される第１縦部材１５Ａと、戸尻側縦枠２４に沿って固定される第２縦部材１５Ｂと、第１縦部材１５Ａ、第２縦部材１５Ｂ間に架け渡して外面側より固定される複数の横パネル材１０とを備えたユニットである。
【００１２】
横パネル材１０は、第１縦部材１５Ａに固定される第１分割パネル材１１と、第２縦部材１５Ｂに固定される第２分割パネル材１２と、第１分割パネル材１１、第２分割パネル材１２間に内面側より架け渡して取り付けされる連結パネル材１３とを備えている。これら第１分割パネル材１１、第２分割パネル材１２は、離反状態に取り付け可能とされている。
【００１３】
戸袋ユニットはこのような構成となっているため、現場の戸枠に合わせて寸法（特に見付け方向の寸法）の調整を簡易に実施することができる。
【００１４】
ついで、図１に示した戸袋ユニットの詳細について説明する。図１（ａ）は、戸袋ユニットを構成する各種部材と、その取り付け対象である戸枠の各種部材とを含んだ分解斜視図である。図１（ｂ）は、戸袋ユニットの１部材である横パネル材（大）１０の拡大正面図である。
【００１５】
戸枠は、上枠２１と、戸尻側縦枠２４と、戸先側縦枠２２（以下、たんに縦枠２２という）と、中方立２３とを含んで構成されている。縦枠２２と中方立２３との間の開口２５と、中方立２３と戸尻側縦枠２４との間の戸袋空間２６との間を引戸（不図示）がスライドして、開口２５を開閉できるようになっている。なお以下では、この開口２５を図１（ａ）のように左側に配した状態の正面側を前と規定し、背面側を後ろと規定する。
【００１６】
この戸枠は縦勝ちに組み立てられている。上枠２１の戸袋空間２６部分は、前後が切り欠かれた、開口２５側よりも幅寸法の小さな形状とされる。その上枠２１の細幅部２１ａ側において、２本の中方立２３は細幅部２１ａを挟むように隅部２１ｂに縦勝ちに取り付けられ、戸尻側縦枠２４は上枠２１の戸尻側の端部の外側に縦勝ちに取り付けられている（図１および図３参照）。
【００１７】
以下に説明するように、戸枠を構成する上記各種部材に戸袋ユニットの各種部材が取り付けられて戸袋（戸袋空間２６）が形成されるようになっている。
【００１８】
戸袋ユニットとしては、両中方立２３のそれぞれに取り付けられる第１縦部材１５Ａと、戸尻側縦枠２４に取り付けられる第２縦部材１５Ｂと、第１縦部材１５Ａ、第２縦部材１５Ｂ間に架け渡して外面側より固定される複数の横パネル材１０とが含まれる。これらの部材は同種の金属材（たとえば鋼材）で成形されており、前後一対のものを含んで構成されている。これらの戸枠への取り付けについて以下に順次説明するが、これらの部材は前後対称の部材であり、取り付け態様も同様であるため、以下では前後の別なく説明する。
【００１９】
第１、第２縦部材１５Ａ、１５Ｂは中方立２３、戸尻側縦枠２４の全長に合致した横断面Ｌ字状の板材とされる。第１縦部材１５Ａはその短片１５ｂが中方立２３の戸袋空間２６側の側面の高さ方向の適所においてねじ止めされ、長片１５ａの上端部が上枠２１にねじ止めされる（図１および図３参照）。また、第２縦部材１５Ｂはその短片１５ｂが戸尻側縦枠２４の外側面の高さ方向の適所においてねじ止めされ、長片１５ａの上端部が上枠２１にねじ止めされる（図１および図３参照）。なお、第１、第２縦部材１５Ａ、１５Ｂにはねじ止め用の挿通孔１５ｃが形成されていることが望ましい。
【００２０】
このように固定された第１縦部材１５Ａ、第２縦部材１５Ｂ間に、横パネル材（小）１０、横パネル材（小）１０、横パネル材（大）１０、横パネル材（下）１０が架け渡されるように取り付けられる。
【００２１】
横パネル材１０の詳細な形状、構成については、図１（ｂ）および図２（ａ）（ｂ）に横パネル材（大）１０の図例を示した。横パネル材１０はいずれも、第１分割パネル材１１と、第２分割パネル材１２と、中央に配された連結パネル材１３とよりなる。第１、第２分割パネル材１１、１２はそれぞれ、外面側に突出した平板状のパネル部１０ａと、その上下端より内面側（戸袋空間２６側）に延びた脚片１０ｂを有している。さらに第１、第２分割パネル材１１、１２はそれぞれ、脚片１０ｂの基端よりパネル部１０ａから離れるように上下方向に延びたフランジ部１０ｃを有している。
【００２２】
第１、第２分割パネル材１１、１２のそれぞれのフランジ部１０ｃの見付け方向の相互に離れた端部には、図１（ｂ）に示すように、切り欠きによるねじ止め用の取付部１０ｄが形成されている。一方（図中左側）の取付部１０ｄの裏面が第１縦部材１５Ａの長片１５ａの断面Ｌ字の内面に、他方の取付部１０ｄの裏面が第２縦部材１５Ｂの長片１５ａの断面Ｌ字の外面に押し当てられ、ねじ３３で固定される。なお、第１、第２縦部材１５Ａ、１５Ｂには横パネル材１０のねじ止め用の挿通孔１５ｃが形成されていることが望ましい。
【００２３】
また、横パネル材（下）１０については、前後に配された横パネル材（下）１０の下側の両フランジ部１０ｃが、複数のブラケット部材１８で挟持固定されるようになっている。
【００２４】
これらの横パネル材１０のそれぞれは、上述したように、分割、組み立てが可能な３つの部材より構成されている。
【００２５】
図３（ａ）（ｂ）はいずれも横断面図であり、これらの図には、後面側に配される横パネル材１０については取り付けた状態を示し、前面側に配される横パネル材１０については取り付け前の状態を示した。
【００２６】
この横パネル材１０は、第１縦部材１５Ａ側（図３中の左側）の第１分割パネル材１１と、第２縦部材側１５Ｂ（図３中の右側）の第２分割パネル材１２と、中央に配された連結パネル材１３とよりなる。
【００２７】
図１（ｂ）、図２および図３に示すように、第１、第２分割パネル材１１、１２は、ほぼ同形状、同寸法とされ、連結パネル材１３を介して離反した状態に配されることが可能となっている。連結パネル材１３は、その両端部が第１、第２分割パネル材１１、１２の各裏側に配されている。
【００２８】
横パネル材１０をこのように分割構成としたのは戸袋の見付け方向の寸法に合わせられるようにするためであり、図１（ａ）には最も小さな見付け寸法に合わせたものを図例として示した。図１（ｂ）の拡大正面図に示したように、白抜き矢印で示した方向へのスライド調整ができ、連結パネル１３を露出させることもできる。図１（ａ）の図例では、第１、第２分割パネル材１１、１２の隣接端部同士は接触しており、表面側には連結パネル１３は露出していない。
【００２９】
連結パネル材１３は、その板幅寸法が第１、第２分割パネル材１１、１２の各パネル部１０ａの板幅寸法（脚片１０ｂ間寸法）とほぼ同一かやや小とされ、パネル部１０ａと、両脚片１０ｂとより囲まれた裏側の薄厚の空間に嵌め入れられるようになっている。
【００３０】
連結パネル材１３と第１分割パネル材１１とは、上下２箇所でボルト３１、ナット３２で固定されるようになっており、それぞれには予め挿通孔１３ａ、１１ａが開設されている。また第２分割パネル材１２には図例のように、上下に固定具用長孔１２ａが形成されており、適宜なスライド位置で、連結パネル材１３に設けた挿通孔１３ａにボルト３１、ナット３２で固定されるようになっている。このように、横パネル材１０は３部材が固定一体化されてなる。なお、横パネル材１０の外面側には、後述するように石膏ボード（大）２８（図５（ａ）参照）が配されるため、図３に示したように、ボルト頭が平たく、厚みが小さいボルト３１を用いることが望ましい。
【００３１】
このように、第１、第２分割パネル材１１、１２の少なくともいずれか一方に、横方向に延びた、連結パネル材１３を取り付ける固定具用長孔１２ａが形成されているので、横パネル材１０としての組み立て作業を効率的に実施することができる。なお、固定具用長孔１２ａは第１、第２分割パネル材１１、１２のいずれかに形成されていることが望ましいが、現場で孔加工してもよい。また、横パネル材（小）１０や横パネル材（下）１０などの板幅寸法の小さなものについては、図１（ａ）では不図示としたが、板幅方向の中央等に１つの固定具用長孔１２ａを設ければよい。
【００３２】
以上のように横パネル材１０が分割材より構成されているため、現場で切断等の加工をすることなく、種々の見付け寸法（たとえば、図３（ａ）（ｂ）に示した寸法）に合わせて横パネル材１０を設置することができ、効率的な現場施工を実施することができる。もちろん、取付部１０ｄを設けた端部が切り落とされることはなく、そのような加工による作業効率の低下を回避することができる。
【００３３】
これらの戸袋ユニットの各種部材は鋼材等の金属材で形成されているため、ねじ止め用の挿通孔１１ａ、１３ａ、１５ｃ、切り欠きによる取付部１０ｄ、固定具用長孔１２ａは予め形成されていることが現場作業の効率面では望ましい。もちろん、それには限定されず、それらの各種孔を設けない構成であってもよい。
【００３４】
ついで、他の戸袋ユニットについて図４を参照しながら説明する。図４（ａ）は、戸袋ユニットを構成する各種部材と、その取り付け対象である戸枠の各種部材とを含んだ分解斜視図である。また、図４（ｂ）は、戸尻側縦枠２４側の中央部を示した部分拡大側面図である。
【００３５】
この戸袋ユニットは、第１、第２縦部材１５Ａ、１５Ｂのそれぞれが上縦部材１６と下縦部材１７とに分割されている。なお、戸枠および戸袋ユニットの他の部材については図１のものと同様であるため、同一の符号を付してその説明は割愛する。
【００３６】
上縦部材１６は上端部を中方立２３、縦枠２４の上端側に合わせて固定され、下縦部材１７は下端部を中方立２３、縦枠２４の下端側に合わせて固定されるようになっている。したがって、縦枠（戸尻側縦枠２４、中方立２３、縦枠２２）が長いものの場合には、上縦部材１６と下縦部材１７とは、図４（ｂ）に示すように、上下で離反した状態に取り付けられることが可能となっている。なお、これらの分割部材は上端、下端に合わせなくてもよく、設置される横パネル材１０の取り付け位置に合わせて固定すればよい。
【００３７】
このように、この戸袋ユニットによれば、戸袋の見付け寸法、高さ寸法のいずれに対しても切断等の加工をすることなく簡単に取り付け調整をすることができる。また、上縦部材１６は上端部を上枠２１に合わせ、下縦部材１７は下端部を中方立２３、戸尻側縦枠２４の下端に合わせるようにして取り付けされれば、戸枠に対してしっかりと固定され得る。また、上縦部材１６と下縦部材１７とを合わせた全長を想定される最も小さな寸法の戸尻側縦枠２４、中方立２３に合わせておけば、切断加工をする必要がないので上下端等に設けた挿通孔１５ｃ部分が除去されるおそれはない。さらに、横パネル材１０および第１、第２縦部材１５Ａ、１５Ｂのいずれもが分割され小さな寸法となっているため、取り扱いがしやすく、コンパクトに梱包することもできる。
【００３８】
以上に示した戸袋ユニットの部材を上述のように戸枠に取り付けることで、戸袋が形成される。戸袋を形成した後には、図５に示すように、石膏ボード２７、２８を貼り付けることで袖壁を形成することができる。
【００３９】
図５に示した例では、横パネル材１０の上下の凹空間にその空間寸法に合致した石膏ボード（小）２７が嵌め入れ固定され、ほぼ面一となった前面にさらに全面用の石膏ボード（大）２８が貼り付けられる。図５（ｂ）に示すように石膏ボード（大）２８は、横パネル材１０に対してねじ３３で固定すればよい。背面側についても同様である。
【００４０】
また、横パネル材１０は連結パネル材１３が裏側に配された構成であるため、図３（ｂ）の例のように外面側の中央に凹み（段差）ができる。しかしながら、横パネル材１０の両端側に配した第１、第２分割パネル材１１、１２が同一の突出寸法であれば、石膏ボード（大）２８を、がたつきなく安定的に取り付けることができる。
【００４１】
このようにして袖壁を形成した後には、横パネル材（大）１０を設けた部位の表面側に、横パネル材（大）１０を下地として手すり４０を取り付けることもできる。図５に示した手すり４０は、横パネル材（大）１０の第１、第２分割パネル材１１、１２に跨るように取り付けられるため、第１、第２分割パネル材１１、１２は同材質で成形されていることが望ましい。
【符号の説明】
【００４２】
１０            横パネル材、横パネル材（小）、横パネル材（大）、横パネル材（下）
１１            第１分割パネル材
１２            第２分割パネル材
１３            連結パネル材
１５Ａ          第１縦部材
１５Ｂ          第２縦部材
１６            上縦部材
１７            下縦部材
２２            縦枠
２３            中方立
２４            戸尻側縦枠
【図１】
0006624447.tif 000002
【図２】
0006624447.tif 000003
【図３】
0006624447.tif 000004
【図４】
0006624447.tif 000005
【図５】
0006624447.tif 000006